【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
それぞれｙ軸に実質的に平行な法線を有する、複数のｙ平面板と、
それぞれｚ軸に実質的に平行な法線を有する、複数のｚ平面板と、
ｚ平面板をｙ平面板に接続するｙ−ｚコネクタであって、前記ｙ平面板と前記ｚ平面板との間の電気的接続を行う、ｙ−ｚコネクタと、
前記複数のｚ平面板に対する複数のｚ仕切り板であって、各ｚ仕切り板は、前記複数のｙ平面板の１つ以上の隣接するｙ平面板に接続するための１つ以上のコネクタを有し、対向する縁部間のミドルエッジの近くの前記ｚ仕切り板に中間コネクタを有し、前記中間コネクタを、前記ｚ仕切り板を１つ以上のｙ平面板に接続するｙ−ｚコネクタに電気的に接続する配線トレースを有する、複数のｚ仕切り板と、
１つ以上の集積回路が装着された複数の取り外し可能な板であって、前記１つ以上の集積回路を嵌合コネクタに接続する配線トレースを有する複数の取り外し可能な板であって、それぞれ前記ｚ仕切り板に実質的に平行である複数の取り外し可能な板と、
前記取り外し可能な板上の嵌合コネクタがｚ仕切り板上の中間コネクタと電気的接続を行うように、前記複数の取り外し可能な板を支持し、且つ、前記取り外し可能な板を前記ｚ仕切り板の前記中間コネクタの近くの所定の位置に誘導するためのキャリア構造と、
前記複数のｚ仕切り板および前記複数の取り外し可能な板に実質的に平行な方向に空気を吹き込むためのファンを有するファンバンクであって、前記空気が、前記取り外し可能な板の表面および前記ｚ仕切り板の表面に沿って実質的に平行な経路内を通過し、前記空気が、前記取り外し可能な板、前記ｚ仕切り板および前記ｙ平面板によって実質的に遮断されない、ファンバンクと、を備える、電子相互接続シャーシ。
【請求項２】
前記複数のｙ平面板および前記複数のｚ平面板は、少なくとも４つのハニカムセルを有するハニカム相互接続構造を形成するように交差しており、各ハニカムセルは、ｙ平面板によって形成された２つの壁と、ｚ平面板によって形成された２つの壁と、を有する、請求項１に記載の電子相互接続シャーシ。
【請求項３】
前記キャリア構造は、前記ｚ仕切り板に接続するために前記複数の取り外し可能な板を所定の位置に誘導するための複数のガイドを備え、前記ガイドは、気流の方向に実質的に平行であり、これにより、取り外し可能な板は、気流に平行な方向に挿入される、請求項２に記載の電子相互接続シャーシ。
【請求項４】
前記複数の取り外し可能な板をそれぞれ支持するための複数のスレッドであって、前記スレッドが前記キャリア構造に挿入されると、前記複数のガイドのうち１つのガイドに沿って摺動する嵌合ガイドを有する複数のスレッドをさらに備える、請求項３に記載の電子相互接続シャーシ。
【請求項５】
前記キャリア構造は、
前記ｙ平面板に平行なスレッドキャリア床面と、
前記ｚ仕切り板に平行なスレッドキャリア仕切りと、を備え、
前記スレッドキャリア床面及び前記スレッドキャリア仕切りは、直角に交差して、キャリアハニカム構造を形成する、請求項４に記載の電子相互接続シャーシ。
【請求項６】
前記複数のガイドは、前記スレッドキャリア床面に形成されている、請求項５に記載の電子相互接続シャーシ。
【請求項７】
前記スレッドキャリア床面は、前記ｙ平面板と同一平面上にあり、
前記スレッドキャリア仕切りは、前記ｚ仕切り板に平行であって、前記ｚ仕切り板からオフセットされており、前記スレッドキャリア仕切りは、前記ｚ仕切り板と同一平面上になく、前記ｚ仕切り板からオフセットされており、
前記ｚ仕切り板上の前記中間コネクタは、前記ｚ仕切り板からオフセットされている前記スレッドキャリア仕切りによって露出されている、請求項５に記載の電子相互接続シャーシ。
【請求項８】
前記キャリア構造は、前記ハニカム相互接続構造の前に存在しており、前記ファンバンクは、前記ハニカム相互接続構造の後ろに存在している、請求項５に記載の電子相互接続シャーシ。
【請求項９】
前記ハニカム相互接続構造の端部にて末端のｚ平面板と嵌合する末端のスレッドに搭載された電力供給ユニットであって、電力接続及び接地接続を、前記ｚ仕切り板、前記ｙ平面板及び前記末端のｚ平面板を介して前記複数の取り外し可能な板に提供する、請求項８に記載の電子相互接続シャーシ。
【請求項１０】
前記末端のｚ平面板に接続されたファンコントローラ板であって、前記ファンバンクに電力を供給することによって、前記末端のｚ平面板も前記ファンバンクに電力を供給するためのファンコントローラ板を備える、請求項９に記載の電子相互接続シャーシ。
【請求項１１】
前記ハニカム相互接続構造のハニカムセルの間を流れる空気を等しくするための少なくとも１つの開口、穴又はノッチを有する気流プレナムを備える、請求項８に記載の電子相互接続シャーシ。
【請求項１２】
それぞれ対応するｚ仕切り板の後縁に形成された複数の後方コネクタであって、前記後縁は、前記対向する縁部間及び前記対応するｚ仕切り板の中間コネクタの反対側に存在し、前記後縁は、前記ファンバンクに最も近い縁部である、複数の後方コネクタと、
前記複数の後方コネクタに接続された後部板であって、対応する後方コネクタに嵌合する前記後部板上の嵌合コネクタに接続された配線トレースを有する後部板と、を備える、請求項８に記載の電子相互接続シャーシ。
【請求項１３】
複数の相互接続板であって、各相互接続板は、主面と、縁部と、配線トレースと、前記複数の相互接続板のうち他の相互接続板に接続するためのファブリックコネクタと、ターゲットコネクタと、を有し、前記配線トレースは、前記ターゲットコネクタを前記ファブリックコネクタに接続する、複数の相互接続板と、
複数の取り外し可能な板であって、前記複数の取り外し可能な板の各々は、主面と、縁部と、配線トレースと、１つ以上の集積回路と、前記複数の相互接続板のうち１つの相互接続板上の前記ターゲットコネクタに接続するためのローカルコネクタと、を有し、前記取り外し可能な板の前記配線トレースは、前記ローカルコネクタを前記１つ以上の集積回路に接続する、複数の取り外し可能な板と、
前記複数の相互接続板によって形成された複数のセルであって、各セルは中心軸を有し、前記複数のセルは、少なくとも４つのセルを備える、複数のセルと、
各取り外し可能な板の前記ローカルコネクタが、対応する相互接続板の前記ターゲットコネクタと嵌合するように、前記複数の取り外し可能な板を所定の位置に誘導するための複数のキャリアガイドと、
前記キャリアガイドを支持するためのキャリア構造であって、前記複数のセルと整列してオフセットされる複数のキャリアセルを有し、各キャリアセルは、前記相互接続板上に前記ターゲットコネクタを露出するようにオフセットされる少なくとも１つの壁を有し、これにより、前記キャリアセルは、前記セルと整列し、前記ターゲットコネクタからオフセットされる、キャリア構造と、
前記複数の相互接続板を冷却し、且つ、前記複数の取り外し可能な板を冷却するために、前記複数のセルの前記中心軸に沿って気流を発生させるファンのバンクであって、前記気流は前記複数の相互接続板の前記主面に平行であり、前記複数の相互接続板の縁部は前記気流に面する、ファンのバンクと、を備える、ハニカム相互接続構造。
【請求項１４】
前記複数の取り外し可能な板のうち対応する取り外し可能な板に装着される、複数のスレッドと、
各スレッド上に形成されたスレッドガイドであって、前記対応する取り外し可能な板上の前記ローカルコネクタが前記ターゲットコネクタに挿入されると、前記複数のキャリアガイドのうち１つのキャリアガイドに沿って摺動するためのスレッドガイドと、をさらに備える、請求項１３に記載のハニカム相互接続構造。
【請求項１５】
前記キャリアガイド及び前記スレッドガイドは、前記中心軸に実質的に平行であり、これにより、前記取り外し可能な板は、前記中心軸と平行に挿入される、請求項１４に記載のハニカム相互接続構造。
【請求項１６】
各セルは、直角に接続された４つの相互接続板から形成された４つの壁を有し、各セルは、長方形である、請求項１３に記載のハニカム相互接続構造。
【請求項１７】
各セルは、６０°をなすように接続された６つの相互接続板から形成された６つの壁を有し、各セルは、六角形である、請求項１３に記載のハニカム相互接続構造。
【請求項１８】
前記相互接続板は、セルの湾曲壁を形成するように曲げられる可撓性部分を有し、これにより、前記セルは、前記相互接続板の前記可撓性部分によって形成された湾曲壁を有する、請求項１３に記載のハニカム相互接続構造。